(57)【特許請求の範囲】
【請求項１】
遊技に関する制御を行う制御基板が収納されるケース体と、該ケース体に装着されるカバー体とからなる基板収納ボックスを備えた遊技機であって、前記ケース体と前記カバー体の封止と開封を複数回可能とするために、前記ケース体とカバー体のいずれか一方には、挿入される挿入ピンの一端側を支持するピン挿入台が切断可能な連結部を介して複数設けられ、他方には、前記挿入ピンの他端側が係合するとともに前記基板収納ボックス内に連通された係合孔を複数備えるピン固定具とが設けられており、前記挿入ピンが挿入されていない未使用のピン挿入台には一体的に形成された薄膜の不正防止部材が配設され、前記ケース体に前記カバー体を装着すると、前記ピン挿入台に形成されるピン挿入孔と前記係合孔とが同軸に配設されるように構成し、前記ピン挿入台の前記ピン挿入孔に前記挿入ピンを挿入した際に前記挿入ピンの先端で前記薄膜の不正防止部材が破壊されることにより、同軸に配設された前記ピン挿入孔と前記係合孔が連通すると共に前記係合孔に前記挿入ピンが係合可能に構成されていることを特徴とする遊技機。
【発明の詳細な説明】
【０００１】
【発明の属する技術分野】
本発明は遊技機に関し、さらに詳しくは、遊技に関する制御を行う制御基板を収納した状態で遊技盤裏面などに配設される基板収納ボックスを備えるパチンコ遊技機やスロットマシンなどの遊技機において、その基板収納ボックスへの不正行為を防止または不正行為の発見を容易にする不正防止機構を備える遊技機に関するものである。
【０００２】
【従来の技術】
近年のパチンコ遊技機やスロットマシンなどの遊技機は、遊技盤に設けられる各種入賞装置や図柄変動表示装置などを制御して、遊技の興趣を盛り上げるようにしたものが主流となっている。これらの入賞装置や図柄変動装置などの制御は、ＩＣやＬＳＩなどの多数の電子部品を配設したロジック制御の回路基板、あるいはマイクロコンピュータを備えた制御基板などにより行われる。例えば役物制御装置においては、基板上にＣＰＵ、ＲＡＭ、ＲＯＭ等が配設されて回路が構成されており、ＲＯＭに記憶された制御プログラムに従って遊技機の制御が行われ、いわゆる「大当たり」などもここで制御される。
【０００３】
これら遊技機に関する制御を行う制御基板は、一般的に埃などのゴミが付着して短絡などの回路障害が発生し誤作動しないように保護するため、樹脂あるいは金属から形成される箱形状の基板収納ボックス内に収納されて遊技盤の裏面側に取り付けられる。そして、各種コネクタ部を介してその他の機器に制御可能に接続される。
【０００４】
前記回路基板や制御基板を収納する基板収納ボックスは、基板を収納するケース体と、ケースに装着して開口部を覆うカバー体とから構成される。そして製造段階などにおいて基板等を収納しケース体とカバー体とを係合させた後は、収納された制御基板に触れられて不正行為が行われないよう、ケース体とカバー体とを再分離不可能に封止する構造であることが望ましい。しかし、修理や公的機関によるＲＯＭ検査などのメンテナンス性を考慮すると、ある程度の回数の再分離、再係合、再封止が可能な構造である必要がある。
【０００５】
このためケース体とカバー体の分離・係合・封止を繰り返し容易に行うことができ、かつ不正行為を防止し、不正行為が行われた場合にはその発見が容易に可能な係合・封止構造として、例えば内部の状態を視認可能なように透明の合成樹脂などから形成するとともに、ケース体とカバー体とをネジ止め組付けした後、ケース体とカバー体との合わせ目に剥がした痕跡が確実に残る封止シールを貼付する方法などが採用されてきた。しかし、真贋の見分けがつき難いほどに精巧な偽造封止シールや特殊な剥離剤などを使用して痕跡が残らないように開封し不正行為を行って再封止されるなど、不正行為者に対しては必ずしも効果があるとはいえなかった。
【０００６】
そこで不正な開封を抑制するとともに、不正行為が行われた場合には直ちに発見できるよう、開封するためにはケース体またはカバー体のいずれかの特定箇所を物理的に破壊しなければならない構造、具体的には図１４〜図１８に示されるような基板収納ボックスの封止構造などが提案されている。図１４は基板収納ボックス２００の外観斜視図、図１５はその一部分解斜視図、図１６は基板収納ボックス２００の側面に設けられた封止部２０５の上面図、図１７は図１６におけるＡ−Ａ断面である横断面図、図１８はＢ−Ｂ断面図である。
【０００７】
図に示されるように、基板収納ボックス２００は、封止部２０５が形成される主制御基板２０３が収納可能なケース体２０１と、該ケース体２０１に固着されるピン固定具２１３と、封止部２０６が形成されるケース体２０１に係合装着可能なカバー体２０２と、ケース体２０１とカバー体２０２それぞれに形成される封止部２０５、２０６とを連結するための挿入ピン２１１とから構成される。
【０００８】
ケース体２０１は、アクリルなどの透明な合成樹脂材料などから、底面に主制御基板２０３を載置・固定可能な略箱形状に形成される。該ケース体２０１の左右両側面（図では片側のみを示す）には、ピン固定具２１３を載置固定可能な長手箱形状の固定具収容台２１２からなるケース体側の封止部２０５が形成される。
【０００９】
ピン固定具２１３は、図１７及び図１８に示されるように長方形形状を有し、金属製板材から折り曲げ形成される。挿入ピン２１１の先端部が挿通される係合孔２１３ａが形成され、該係合孔２１３ａの内周面には、挿入ピン２１１の先端部２１１ａに周設された凹状の係合溝２１１ｂに係合する係合片２１３ｂがやや斜め下向きに突設して形成される。
【００１０】
カバー体２０２は、ケース体２０１に係合して基板収納ボックス２００を構成する部材であり、ケース体２０１と同様にアクリルなどの透明な合成樹脂材料から、ケース体２０１の底面に載置された主制御基板２０３上に配設される各種電子部品などを覆う略箱形状に形成される。カバー体２０２の左右両外側面（図では片側のみを示す）には、カバー体側の封止部２０６として複数個（図では４個形成される例を示す）のピン挿入台２１５が切断可能に形成された連結部２１８を介してカバー体２０２と一体的に整列して設けられると共に、前記ピン挿入台２１５の端部には前述のピン固定具２１３をネジ止め固定するタッピンネジ２０７を上方から覆うネジ隠し片２１７、２１７が形成される。また、カバー体２０２の表面には、左右両側面の対角に位置する一対２個のピン挿入台２１５が同一番号となるよう番号表示が付されている。（図１４、図１５には１〜４の数字が付される例を示す）
【００１１】
挿入ピン２１１はアルミなどの金属製棒材により切削形成され、または合成樹脂材料により一体に成形され、円柱形状の本体部２１１ｄと本体部２１１ｄより外径が大きくフランジ状に形成される頭部２１１ｅとから構成される。円柱形状の本体部２１１ｄの途中位置には、本体部２１１ｄの外径よりもやや太径にローレット状のリング部２１１ｃと、ピン固定具２１３の係合片２１３ｂと係合可能な係合溝２１１ｂとが形成される。
【００１２】
前記構成を有する基板収納ボックス２００の組み付け操作、封止および開封操作は以下の通りである。
【００１３】
最初に、ケース体２０１の底面に主制御基板２０３を載置して四隅角部を基板固定部材２０４により固定し、併せてピン固定具２１３をケース体２０１に形成される固定具収容台２１２にタッピンネジ２０７によりネジ止め固定する。そしてカバー体２０２に形成される各ピン挿入台２１５に挿入ピン２１１を挿入する。この場合、図１８に示されるように挿入ピン２１１の本体部２１１ｄに形成されるリング部２１１ｃが、ピン挿入孔２１５ｂの下端を通過し、かつ先端２１１ａがピン固定具２１３に形成される係合孔２１３ａに挿通しない位置に遊挿する。その後、ケース体２０１にカバー体２０２を係合装着する。
【００１４】
そして、例えば製造時などにおいて初めて封止するときは番号「１」が付された左右両外側に一対２個のピン挿入台２１５に挿入される挿入ピン２１１を叩き込むなどして更に挿入する。その結果、挿入ピン２１１の先端２１１ａがピン固定具２１３に形成される係合孔２１３ａを通過して挿入ピン２１１に形成される係合溝２１１ｂに係合孔２１３ａの内周縁に形成される係合片２１３ｂが抜脱不可能に係合し、ケース体２０１とカバー体２０２との係合が分離不可能に封止される。
【００１５】
前記連結部２１８はニッパなどの工具によって簡便に切断可能な形状に形成されており、挿入ピン２１１による封止を解除し、ケース体２０１とカバー体２０２とを分離するには、連結部２１８、２１８、・・のうち挿入ピン２１１とピン固定具２１３が抜脱不可能に係合され封止された一対２個のピン挿入台２１５の連結部２１８を切断する。これにより挿入ピン２１１が挿入されたピン挿入台２１５はカバー体２０２から分離することになる。
【００１６】
前記構成を有する基板収納ボックス２００によれば、該基板収納ボックス２００の封止・開封を形成されるピン挿入台２１５の数だけ複数回行うことが可能であるため、収納されている主制御基板２０３の修理やＲＯＭ検査などの正規の理由による開封・封止が複数回行うことができ、前記操作もニッパーなどの工具を用いれば容易に開封することが可能であるためメンテナンス性も良い。また開封すれば確実に連結部に切断の痕跡が残ることになる。このため、取り扱いも容易で開封を抑止して不正行為を防止できることから広く採用されている。
【００１７】
【発明が解決しようとする課題】
しかしながら、前記構造を有する基板収納ボックス２００においては、挿入ピン２１１と係合するピン固定具２１３はその両端部をケース体２０１の固定具収容台２１２にタッピンネジ２０７によってネジ止め固定するのが一般的であり、ネジ止め作業は製造工程において手間や時間も掛かるため、組付けの作業性の向上を図って低コスト化を図ることが困難であるという問題を有していた。
【００１８】
更に、ケース体側およびカバー体側の封止部２０５、２０６は基板収納ボックス２００の外部に突設されるため、封止部２０５、２０６の寸法だけ基板収納ボックス２００の寸法が大きくなる。近年は遊技機の裏側には様々な基板や装置が配設されるようになってきており、基板収納ボックスの配設スペースを確保することが困難となっていることに加えて、電気・電子機器の増加で発熱量も増加しており、熱を逃がして熱によるこれら機器の誤作動を防止するため、遊技盤裏面の通風空間として機器間に隙間空間を確保しなければならず、機器をできる限り小さくすることが望まれている。
【００１９】
また、ピン固定具２１３をネジ止めした固定具収容台２１２は組み付け後の基板収納ボックス２００の左右両外側に位置するものであり、装着されるカバー体２０２の外側へ突設して形成されるネジ隠し片２１７、２１７でタッピンネジ２０７を覆い隠して不正行為を防止するという構成であるため、該ネジ隠し片２１７、２１７を復元可能に巧妙にカバー体２０２から切断分離し、タッピンネジ２０７を外して基板収納ボックス２００の係合を開封したり、固定具収容台２１２の下面のネジ止め位置に孔を開け特殊な工具を挿入して、タッピンネジ２０７を強引に外してしまうことも不可能ではなく、セキュリティー性の向上も図ることが困難であった。
【００２０】
また、ピン固定具２１３のタッピンネジ２０７による係合方向と、挿入ピン２１１のピン固定具２１３への挿入方向、およびケース体２０１とカバー体２０２との係合方向とが全て同一であるため、例えば連結部２１８を破壊しないように固定・保持しつつケース体２０１とカバー体２０２とを引き剥がすように力を加えると、タッピンネジ２０７および挿入ピン２１１には抜き取る方向に力が加わることになり、そのままタッピンネジ２０７と固定具収容台２１２との係合や挿入ピン２１１とピン固定具２１３との係合が強引に外されてケース体２０１とカバー体２０２とを分離させることも不可能ではなかった。この場合、破損個所は固定具収容台２１２のタッピンネジ２０７との係合箇所あるいはピン固定具２１３に形成される係合孔２１３ａの内周縁近傍に限られるため、見かけ上、元の状態に復元することも不可能ではない。
【００２１】
更に近年では、このような基板収納ボックスへの不正行為は巧妙さを増しており、ケース体とカバー体との係合を分離させることなく、収納ボックスに形成される貫通孔や開口部などからピアノ線などの細い線状あるいは棒状の異物を挿入させて制御基板のプリント配線などへの不正を施し、遊技に関する制御に誤動作を生じさせるなどの行為がなされるおそれが生じている。このような不正行為を防止するためには、ピアノ線などの細線状の異物さえもボックス内に侵入する隙間や開口部を無くし、内部の制御基板などには一切に触れさせないように基板収納ボックスを構成する必要がある。
【００２２】
また、収納されている基板に直接不正行為を施すのではなく、ピン固定具２１３に形成される未使用の係合片２１３ｂを、ピン挿入孔から先端工具、精密ヤスリ（針ヤスリなど）、電動工具（ルータなど）に装着された精密砥石を挿入して削るなどし、未使用のピン挿入孔２１５ｂの開口部より未使用の係合孔２１３ａの係合片２１３ｂに細工を施すことにより、あらかじめ挿入ピン２１１を外側から引き抜くことを可能としておき、検査などの正規の開封が行われてピン挿入孔２１５ｂを替えた場合に、挿入ピン２１１を抜いて不正行為が行われることもあり得るため、未使用のピン挿入孔２１５ｂを塞いでおくか未使用のピン挿入台２１５には開口部そのものが形成されない構成である必要がある。そして蓋部材などを用いて開口部を塞ぐ場合には、不正行為防止の観点から外側からは抜脱困難とし、メンテナンス性の観点からは作業時において容易に抜脱可能である構成であることが望ましい。
【００２３】
【課題を解決するための手段】
前記課題を解決するため、請求項１に記載の発明は、遊技に関する制御を行う制御基板が収納されるケース体と、該ケース体に装着されるカバー体とからなる基板収納ボックスを備えた遊技機であって、前記ケース体と前記カバー体の封止と開封を複数回可能とするために、前記ケース体とカバー体のいずれか一方には、挿入される挿入ピンの一端側を支持するピン挿入台が切断可能な連結部を介して複数設けられ、他方には、前記挿入ピンの他端側が係合するとともに前記基板収納ボックス内に連通された係合孔を複数備えるピン固定具とが設けられており、前記挿入ピンが挿入されていない未使用のピン挿入台には一体的に形成された薄膜の不正防止部材が配設され、前記ケース体に前記カバー体を装着すると、前記ピン挿入台に形成されるピン挿入孔と前記係合孔とが同軸に配設されるように構成し、前記ピン挿入台の前記ピン挿入孔に前記挿入ピンを挿入した際に前記挿入ピンの先端で前記薄膜の不正防止部材が破壊されることにより、同軸に配設された前記ピン挿入孔と前記係合孔が連通すると共に前記係合孔に前記挿入ピンが係合可能に構成されていることを要旨とするものである。
【００２４】
かかる構成を有する基板収納ボックスによれば、ケース体にカバー体を装着して、いずれか一方に設けられたピン挿入台と、他方に設けられた固定具収容台の収容溝に係合して収容固定されたピン固定具とを挿入ピンによって連結させることで、制御基板をボックス内に収納した状態でケース体とカバー体との係合を封止できる。
【００２５】
また、切断可能な連結部を介して形成される前記ピン挿入台と、前記ピン固定具の係合孔の組を複数備える構成であるため、基板収納ボックスの係合の開封・封止を複数回行うことができ、制御基板の修理や公的機関によるＲＯＭ検査などの正当な理由によって開封した場合でも再度収納して係合を封止することが可能となるため、メンテナンス性も良くなる。この場合において、ピン挿入台に形成されるピン挿入孔と、ピン固定具に備えられた係合部である係合孔は基板収納ボックス内に連通しているので、封止のための挿入ピンが挿入されない未使用のピン挿入孔には薄膜の不正防止部材が一体的に配置されていることにより、封止後の基板収納ボックスに残る基板収納ボックス内部と外部とを連絡可能な開口部が塞がれることになるため、ピアノ線などの細線状あるいは棒状の異物を差し込んで不正行為が行われることを防止することができる。
【００２６】
【発明の実施の形態】
以下、本発明の好適な一実施の形態を図面を参照して詳細に説明する。
【００２７】
図１は、遊技機の一例としてのパチンコ遊技機の概略構成の正面図を示した図である。図に示されるようにパチンコ遊技機１０は、遊技機本体の側部を構成する外枠１１と前面部のベースとなる内枠１２とを備える。この内枠１２の開口部には遊技盤１４の前面を覆うガラス扉１５が設けられる。
【００２８】
ガラス扉１５の下方位置には、遊技球を貯留するための上受け皿１６とその上受け皿１６から溢れた遊技球を貯留するための下受け皿１７が縦列して設けられる。この上受け皿１６には球抜きボタン１８が設けられ、これを操作すると上受け皿１６内の遊技球が下受け皿１７に向けて抜き落とされる。また、下受け皿１７の図中右側位置には、遊技球を発射するための発射レバー２０が設けられ、その回動操作量に応じて打球の強さが調整されると共に図示しない発射モータの電源が投入される。更に発射レバー２０には遊技球を単発発射させるための図示しない単発スイッチも備えられており、遊技状況に応じて使い分けることが可能に構成されている。
【００２９】
また、このパチンコ遊技機１０の左側部にはプリペイドカードによる球の貸し出しを行うプリペイドカードユニット２２が並設されており、その操作は上受け皿１６の前面部に設けられた球貸し操作部２３によって行われる。球貸し操作部２３には、プリペイドカードによる遊技球の貸し出しを操作する球貸しボタン２４、カード挿入口２６からプリペイドカードを排出させるカード返却ボタン２７、また図示されないが、貸出しの可否状態を示す球貸しランプ、プリペイドカードの残高表示及びエラー表示を行う度数表示部などが備えられる。
【００３０】
遊技盤１４面のほぼ中央には特別図柄表示装置５０が設けられており、その画面には数字やキャラクタなどの図柄が動画表示される。この特別図柄表示装置５０の真下位置には常時入賞可能な第一始動入賞口５２ａと、可変翼が開放された時にのみ入賞可能となる第二始動入賞口５２ｂを備える始動入賞口５２が設けられており、始動入賞口５２に遊技球が入賞すると特別図柄表示装置５０に表示される図柄が変動を開始する。
【００３１】
また、始動入賞口５２の真下位置には通常は閉鎖されている大入賞口５３が設けられており、その内部には大入賞口５３が開放された時にのみ入賞可能となる特定入賞口５４が設けられている。また、大入賞口５３の左右位置には普通入賞口である左落し入賞口６０、右落し入賞口６１が、それらの上方位置には左袖入賞口６２、右袖入賞口６３が各々設けられ、これらの入賞口へ遊技球が入賞すると所定個数の賞品球が払い出される。
【００３２】
特別図柄表示装置５０の周囲には装飾枠体６４が設けられる。該装飾枠体６４の上部に形成された半円弧形状の装飾枠部には、普通図柄表示装置６５が設けられ、「０」から「９」までの数字が７セグメントでもってデジタル表示される。更に、本遊技盤１４面には遊技球の落下方向を無作為に変更させたり、その流下速度を変化させる風車やランプ風車、左ゲート６６、右ゲート６７が設けられ、このゲート６６、６７を遊技球が通過すると普通図柄表示装置６５が変動を開始し、所定図柄が表示確定されると前述の始動入賞口５２の第二始動入賞口５２ｂが一定時間開放される。
【００３３】
始動入賞口５２に遊技球が入賞すると、特別図柄表示装置５０に表示される判定用図柄が変動を開始し、所定時間（例えば５秒間）が経過すると停止して図柄が表示確定される。ここで確定された図柄の組み合わせが予め設定された所定の組み合わせと一致すると、それまで閉鎖されていた大入賞口５３が開放され、いわゆる「大当たり」と称される特別な遊技状況が開始されることになる。
【００３４】
このように、遊技盤１４面に設けられる各入賞口に遊技球が入賞（または通過）すると諸処の遊技状況が発生する契機となると共に、所定個数の賞品球が上受け皿１６の左側上部に設けられる図示しない球出口から払い出される。但し、何れにも入賞しなかった遊技球は、遊技盤１４面の最下部に設けられる排出口６８から遊技盤１４の裏面へと排出されることになる。
【００３５】
図２は、前記パチンコ遊技機１０の裏面図である。パチンコ遊技機１０の裏面には、各種装置などを取り付けるための裏セット板７１が設けられ、その裏セット板７１の上方には、図示しない遊技場内に設置された球供給装置から供給される遊技球を一時貯留する球タンク７２が設けられる。この球タンク７２には球誘導樋７３が連接して設けられる。球誘導樋７３には該球誘導樋７３上における遊技球の貯留状態を検知する図示しない補給スイッチが設けられる。該補給スイッチは、球誘導樋７３上での球切れ状態が発生した時に作動し、図示しない遊技場内の球供給装置から球タンク７２に遊技球が供給されていないことを遊技場へ報知するように構成されている。
【００３６】
この球誘導樋７３は図示しない屈曲樋に接続され、この屈曲樋はその下流域でおいて枝分かれして賞球払出装置７５と球貸払出装置７６に連接される。また、この図示しない屈曲樋にはその屈曲樋内における遊技球の流下状態を検知して賞球払出装置７５及び球貸払出装置７６の空動作を未然に防止する空切り防止スイッチ７７が設けられる。
【００３７】
また、遊技機１０の裏面には、遊技に関わる制御を行うための多種多様な制御基板が配設されており、これら制御基板により遊技盤１４面に設けられる各装置などの動作が設定制御される。また、遊技機１０と外部の各種装置とを接続する外部出力端子などを備える盤用外部出力端子基板７８および枠用外部出力端子基板７８ｃ、空切り防止スイッチ７７の作動を設定制御する空切り防止スイッチ基板７９、更に、前述の賞球払出装置７５及び貸球払出装置７６の作動を設定制御するＣＲ賞球払出制御基板８０、本遊技機１０の側部に設けられるプリペイドカードユニット２２と遊技機１０間における情報の授受を行うカードインターフェイス接続部８１が設けられる。
【００３８】
更に、これらの制御基板などの動作を設定制御する主制御基板８２が裏面の略中央に設けられている。該主制御基板８２は、箱状の基板収納ボックス９０に収納されており、該基板収納ボックス９０を開封しなければ前記主制御基板８２に触れることができないようになっている。基板収納ボックス９０は詳しくは後述するがケース体９１とそのケース体９１に装着されるカバー体９２とからなり、前記ケース体９１に前記主制御基板８２を載置して固定し、その上面開口部をカバー体９２で覆うことで外部から触れることができないように主制御基板８２を収容する。
【００３９】
そのほかに本遊技機１０には上記以外にも各種多様な制御基板が設けられており、これら制御基板により遊技盤１４面に設けられる各装置などの動作が設定制御される。例えば、打球発射に関する設定制御を行う発射装置制御基板８３や、遊技盤１４面上に設けられるランプの点灯及び消灯に関わる設定制御を行うランプ制御基板８４、遊技状況に応じて発する音声や音楽などを制御する音声制御基板８５といった各種制御基板も同様に設けられる。そして図３のブロック図に示されるように、これら制御基板などは直接または間接的に主制御基板８２と接続され、その動作は主制御基板８２によって制御される。これらの制御基板などについての概要は周知であるので、ここでは詳細説明を省略する。
【００４０】
次に、本発明の第１の実施の形態に係るパチンコ遊技機に備えられる不正行為防止構造を有する基板収納ボックスついて図４〜図１１を参照して説明する。
【００４１】
図４は遊技機本体の裏面に設けられる前記基板収納ボックス９０の外観斜視図、図５及び図６は該基板収納ボックス９０の一部分解斜視図、図７はケース体とカバー体に形成される封止部の縦断面斜視図、図８はケース体側の封止部の上面（開口側）図、図９及び図１０は係合された状態での両封止部の縦断面図、図１１は不正防止部材の配置状態を示した断面図である。図４〜１０に示されるように、本実施の形態における基板収納ボックス９０は、主制御基板８２が収納されるケース体９１と、該ケース体９１に装着されるカバー体９２とからなり、ケース体９１およびカバー体９２にはそれぞれに形成される封止部９３、９４を、ケース体側の封止部９３に固定されるピン固定具９８と挿入ピン９５とにより連結されて構成される。
【００４２】
ケース体９１は、底面に主制御基板８２を載置・固定可能な略箱形状を有しており、内部を視認可能な透明の材料、例えばアクリル樹脂などから形成される。該ケース体９１の左右両側面（図５〜１２には片側のみを示す）に形成される封止部９３は固定具収容台９９を備える。該固定具収容台９９は、挿入ピン９５が挿入されるピン挿入孔９９ｄを複数形成（本実施の形態においては左右両外側にそれぞれ４個ずつ形成される例を示す）される前台９９ｂと、同じく挿入ピン９５の先端部９５ｃが嵌合される後台９９ｅとから構成されており、前台９９ｂと後台９９ｅとの間にはピン固定具９８を挿入・固定可能な収容溝９９ａが形成される。前台９９ｂの両側端部には係合凹部９９ｃ、９９ｃが形成されており、該係合凹部９９ｃ、９９ｃの更に端部寄りには、収容さるピン固定具９８を収容溝９９ａの所定位置への挿入を案内するための案内部９９ｇ、９９ｇが形成される。
【００４３】
ピン固定具９８は、弾性変形能を有する材料から帯板状に形成されるものであり、挿入ピン９５を挿通可能な係合孔９８ａが前台９９ｂに形成されるピン挿入孔９９ｄと同数形成（本実施の形態においては左右両外側にそれぞれ４個ずつ形成される例を示す）される。前記係合孔９８ａの内周縁には、挿入ピン９５の先端部９５ｃに周設される係合溝９５ｄと係合可能な係合片９８ｂが形成される。またピン固定具９８の両端部近傍には、固定具収容台９９の前台９９ｂに凹設される係合凹部９９ｃ、９９ｃに係合可能な係合片９８ｃ、９８ｃが形成される。
【００４４】
挿入ピン９５はアルミニウムなどの金属材料または合成樹脂材料から形成されるものであり、略円柱形状に形成される本体部９５ｂと、該本体部９５ｂの一端に本体部９５ｂより外径が大きくフランジ状に形成される頭部９５ａからなる。また、本体部９５ｂの先端部９５ｃ近傍には凹状の係合溝９５ｄが周設される。
【００４５】
カバー体９２は、ケース体９１と同様に基板収納ボックス９０の内部を視認可能な透明な材料、例えばアクリルなどの合成樹脂材料から形成されており、ケース体９１と係合可能な略箱形状を有している。ケース体９１と係合した場合においてケース体側の封止部９３が形成される同じ左右両外側（図５〜１２においては片側のみを示す）には、カバー体側の封止部９４が設けられている。該カバー体側の封止部９４は、前記前台９９ｂに形成されるピン挿入孔９９ｄと同数のピン挿入台９６、９６、・・が切断可能に形成された連結部９６ａ、９６ａ、・・を介してカバー体９２に一体に形成されており、左右両外側に対角に位置する一対２個ずつのピン挿入台９６、９６、・・にはそれぞれ同一の番号が付されている。ピン挿入孔９６ｂは挿入ピン９５の本体部９５ｂを挿通可能に貫設され、挿入ピン９５のフランジ状の頭部９５ａが収容される収容部９６ｃと挿入ピン９５の本体部９５ｂが挿通される挿通部９６ｄとからなる。
【００４６】
不正防止部材３００は、図１１に示すように、ピン挿入台９６に一体に薄膜９６ｅを形成して非貫通のピン挿入孔９６ｂ’を構成するものである。かかる構成においては挿入ピン９５を挿入しつつ挿入９５の先端で不正防止部材である薄膜９６ｅを破壊するものである。従って開口部が存在しないためピン挿入孔よりピアノ線などの異物を挿入することは不可能であるため不正行為を防止することができ、かつ正規の再封止操作において挿入ピンを挿入する以外に薄膜９６ｅを破壊する必要はあり得ないことから、不正行為があった場合には直ちに発見することができる。薄膜９６ｅをピン挿入孔９６ｂ’の内周面と一体に形成し、内周面近傍のみ薄膜の厚さを薄くすることにより、ピン挿入孔９６ｂ’の内周面に沿って薄膜が破壊されるため、挿入ピン９５の挿入が容易となる。
【００４７】
前記構成を有する基板収納ボックス９０の組み付け操作と、挿入ピン９５を用いて主制御基板８２が収納された基板収納ボックス９０のケース体９１とカバー体９２との係合を封止する手順は次の通りである。
【００４８】
最初に図９に示されるようにピン固定具９８を収容溝９９ａに挿入する。ピン固定具９８の挿入操作においては図８に示されるように、ピン固定具９８に形成される係合片９８ｃと後台９９ｅとの干渉を避けるため、ピン固定具９を湾曲変形させて挿入する。係合片９８ｃが係合凹部９９ｃとの係合位置にまで挿入されると、ピン固定具９８に形成される係合片９８ｃと前台９９ｂに形成される係合凹部９９ｃとが係合し、収容溝９９ａ内に抜脱不可能に挟まれて固定される。一旦係合片９８ｃと係合凹部９９ｃとが係合するとピン固定具の両端に形成される係合片９８ｃが係合凹部９９ｃより抜き出た位置まで湾曲変形しない限り収容溝９９ａから抜脱することはなく強固に収容固定されるため、外れにくい。
【００４９】
またこの場合図８に示されるように、ピン固定具９８が湾曲変形可能なよう、前台９９ｂと後台９９ｅとの間に隙間空間である変形誘導部９９ｆが形成されることが望ましいが、係合片９８ｃに弾性変形能を持たせ、挿入時に係合片９８ｃの弾性変形により挿入可能とする構成として変形誘導部９９ｆを形成しない構成であっても良い。
【００５０】
前記のようにピン固定具９８に弾性変形能を与えて挿入させるものであるため、ピン固定具９８は挿入時に必要な弾性変形能を有し、降伏点の高く塑性変形や変形による破壊が生じにくい材料から形成されることが望ましく、例えば鋼板、バネ鋼板、ステンレス鋼板などを好適に適用することができる。また、強度を増すために側辺を曲げ起こすなどし、例えば、「コ」の字の断面形状に形成することが望ましい。
【００５１】
そして主制御基板８２をケース体９１に収容して基板固定部材９７などで固定し、図９（ｂ）に示されるようにケース体９１とカバー体９２とを係合して基板収納ボックス９０を形成する。前記ケース体９１の側壁には装着されるカバー体９２の段部９２ａに弾発的に係合する係合片９１ａ、９１ａが形成されており、該係合片９１ａによりカバー体９２はケース体９１に装着・係合される際にケース体９１とカバー体９２との係合が容易に外れないように仮固定される。
【００５２】
この状態において、ピン挿入台９６に形成されるピン挿入孔９６ｂと、前台９９ｂに形成されるピン挿入孔９９ｄと、収容溝９９ａ内に固定されるピン固定具９８に形成される係合孔９８ａとが全て同軸に配設されるようにそれぞれ形成されてなる。
【００５３】
そして、図１０（ａ）及び図１１に示されるように、側方から挿入ピン９５をカバー体９２のピン挿入台９６に挿入する。そして、図１０（ｂ）に示されるように、挿入された挿入ピン９５の頭部９５ａをドライバーなどの工具を用いて、側方から叩き込むなどの押圧挿入動作により、先端部９５ｃの係合溝９５ｄにピン固定具９８の係合孔９８ａの内周縁に形成された係合片９８ｂを嵌め込ませて係合する。
【００５４】
この場合、製造段階などにおける最初の封止操作においては、前記番号の「１」が付してある左右両外側の一対２個のピン挿入台９６に挿入ピン９５を挿入し、挿入ピン９５が挿入されない未使用のピン挿入台９６の内底部には予め薄膜９６ｅ不正防止部材３００が一体に形成されていることにより封止されている。
【００５５】
このようにして、カバー体９２に形成されるピン挿入台９６と、ケース体９１に形成される固定具収容台９９の収容溝９９ａに収容固定されるピン固定具９８とが挿入ピン９５によって連結されることでケース体９１とカバー体９２との係合が封止され、未使用のピン挿入台９６には予め薄膜９６ｅの不正防止部材３００が配置されることで基板収納ボックス９０に形成される開口部が塞がれている。これにより主制御基板８２は基板収納ボックス９０の内部に接触不可能に収容され、開封による不正行為が防止されるとともに、開口部からピアノ線などを挿入して不正行為が行われることが防止される。
【００５６】
なお、図５及び図６に示されるように、再封止の際に用いられる未使用の挿入ピン９５は、カバー体９２のそれぞれ左右両側壁近傍の上壁に取付部材９１ｂによって取り付けられており、開封・再封止が行われる際には場合には適宜取り外して用いられるように構成されている。取付部材９１ｂにより取り付けられる挿入ピン９５の本数は最初の封止操作後における残りのピン挿入台９６の数と同数であり、本実施の形態においては３本取り付けられている。かかる構成とすることにより挿入ピンを別途保管しておく必要がなくなり、操作時に挿入ピンを用意する必要はなく、また紛失などで封止を行うことができなくなることもなくなる。
【００５７】
検査などのために、封止を解除してケース体９１とカバー体９２とを分離させる操作および検査などの後の再封止の操作は以下の通りである。
【００５８】
挿入ピン９５が挿入されて挿入ピン９５によりピン固定具９８と連結されているピン挿入台９６の連結部９６ａをニッパーなどで切断する。その結果ピン挿入台９６はケース体９１に固着したままの状態でカバー体９２から分離するため、ケース体９１とカバー体９２との封止は解除され、ケース体９１とカバー体９２とは係止片９１ａによってのみ係合することになる。ここで、係止片９１ａを弾性変形させることにより、ケース体９１からカバー体９２が分離できることとなる。
【００５９】
ケース体９１とカバー体９２を分離させ、収納されている主制御基板８２の修理や検査を行った後、ケース体９１に主制御基板８２を固定し再封止するためには、例えば切り離したピン挿入台９６に番号「１」が付されているものであった場合には、次に番号「２」が付された一対２個のピン挿入台９６を封止に用いる。
【００６０】
以降、付された番号順に未使用のピン挿入台９６の残存数だけ再封止を行うことが可能である。
【００６１】
本実施の形態に係る基板収納ボックス９０によれば、ピン固定具９８は、固定具収容台９９の前台９９ｂと後台９９ｅとの間に形成される収容溝９９ａに収容され、係合片９８ｃが前台９９ｂに形成される係合凹部９９ｃに係合して固定される。このため、ネジが不要となるとともに組み付けはピン固定具９８を所定の係合位置まで押下する動作のみであり、従来技術に示されるようにネジ止めによる固定よりも組み付け操作が容易で作業性の向上を図ることができることに加え、不正行為を防止するためのネジ隠し片も不要となって構造を単純化することができ、コストの低減を図ることができる。
【００６２】
また、本実施の形態においてはネジを用いず、ピン固定具９８の挿入ピン９５が挿入される側全体が前台９９ｂに覆われて収容溝９９ａに収容される構成であって、係合片９８ｃと係合凹部９９ｃによる係合はケース体９１の内側面に構成されるため、この係合を解除してピン固定具９８ｃを取り外すためには前台９９ｂや収容溝９９ａ、つまり固定具収容台９９そのものを破壊することが必要であり、更に固定具収容台９９を破壊するためにはケース体９１をも破壊する必要がある。このため痕跡を残さない不正行為は極めて困難であり、かつその痕跡を消すための復元も極めて困難であることから、不正行為者による不正開封の行為を抑制する効果を有するとともに、収納されている制御基板への不正行為のために開封が行われた場合には早期に発見される。
【００６３】
また、図に示されるように挿入ピン９５を収納ボックス９０の側壁面から内部へ向けて挿入する構成とすることにより、ピン固定具９８などの封止部９３を構成する部材を基板収納ボックス９０の内部に収納することが可能となる。この結果、封止部９３、９４の基板収納ボックス９０からの突出部分の寸法を小さくすることができるため、該基板収納ボックス９０の全体の寸法の小型化を図ることができる。近年は遊技盤の裏面に配設される機器や基板収納ボックスが増加しているため、小型化を図ることにより各機器類の配設が容易となることに加え、機器間の隙間を増やすことができるため排熱が効果的に行うことができ熱による各種制御機器の誤作動を防止することも可能となる。更に挿入ピン９５の挿入方向とケース体９１とカバー体９２との係合方向が異なる（本実施の形態においては９０°）ため、カバー体９２とケース体９１とを引き剥がす方向に力を加えても挿入ピン９５が抜脱することはなく、またピン固定具９８もタッピンネジによる固定ではないため、ピン固定具９８が外れることもない。
【００６４】
尚、カバー体９２に切断可能な連結部９６ａを介して一体に形成されるピン挿入台９６と、ピン固定具９８の挿入ピン９５との係合孔９８ａとがそれぞれ同数ずつ複数形成されているため、基板収納ボックス９０の開封・封止をピン挿入台９６の数だけ複数回行うことができるようになり、主制御基板８２の修理や公的機関によるＲＯＭ検査などの正当な理由によって開封した場合でも再度収納して封止することが可能になり、メンテナンス性も良くなる。
【００６５】
次いで、本発明の第２の実施の形態として、従来技術で説明した基板収納ボックス２００に本発明の封止構造を適用させる構成について図１２及び図１３を参照して説明する。図１２は基板収納ボックス１１０の分解斜視図、図１３は両封止部の縦断面を示した図である。この実施の形態における基板収納ボックス１１０は、従来例の基板収納ボックス２００とはケース体側の封止部１１３の構造のみ異なる構成であるため、従来例と同一の構成の部分については同符号を付して説明は省略し、主に相違する箇所のみについて説明する。従来技術においてはあらかじめ全てのピン挿入台２１５に挿入ピン２１１を遊挿しておき、封止に用いる挿入ピン２１１のみ更に圧入する構成であるが、この実施の形態で示される不正防止部材３００を適用する場合には、封止に用いるピン挿入台２１５にのみ挿入ピン２１１を挿入し、未使用のピン挿入台２１５には予め薄膜９６ｅの不正防止部材３００が一体に形成されることにより配置されている構成となる。
【００６６】
図１２に示されるように、本実施の形態に係る基板収納ボックス１１０のケース体２０１の左右両外側には、ケース体側の封止部１１３が形成される。該ケース体側の封止部１１３は挿入ピン２１１の先端部２１１ａに係合するピン固定具１１８と、該ピン固定具１１８を収容固定する収容溝１１９ａを備えた長手ボックス形状の固定具収容台１１９とから構成される。
【００６７】
前記ピン固定具１１８が収容される固定具収容台１１９は、ピン固定具１１８に形成される係合孔１１８ａと同数の挿入ピン２１１が挿入される挿入孔１１９ｄが形成される上台１１９ｂと、同じく挿入ピン２１１の先端部２１１ａが挿入される下台１１９ｅとから構成されており、上台１１９ｂおよび下台１１９ｅの間に収容溝１１９ａが形成され、ピン固定具１１８は前記上台１１９ｂと下台１１９ｅとの間に形成される収容溝１１９ａに収容されて固定される。
【００６８】
ピン固定具１１８は、第１の実施の形態と同様に金属材料など弾性変形可能な材料から長方形形状に形成されたもので、挿入ピン２１１の先端部２１１ａに係合する係合孔１１８ａが複数（本実施の形態では４個形成される例を示す）開口して形成されている。該係合孔１１８ａの内周縁には、挿入ピン２１１の先端部２１１ａに周設された係合溝２１１ｂに係合する係合片１１８ｂが形成されており、係合の際には挿入ピン２１１の先端部２１１ａを抜脱不能に保持する。またピン固定具１１８の両端部近傍には、固定具収容台１１９の下台１１９ｅに凹設された係合凹部１１９ｃ、１１９ｃに係合する係合片１１８ｃ、１１８ｃが形成されており、ピン固定具１１８は収容溝１１９ａに収容された際には、前記係合凹部１１９ｃに係合して収容される。
【００６９】
次いで、前記構成を有する基板収納ボックス１１０の組み付け操作及び挿入ピン２１１による基板収納ボックス１１０の係合の封止操作について説明する。
【００７０】
まず、ピン固定具１１８をケース体２０１のケース体側の封止部１１３に形成される固定具収容台１１９の収容溝１１９ａへ図１２に示す矢印ａの向きにスライドさせるように挿入する。収容溝１１９ａには図示しないが前述の変形誘導部と同様に隙間空間が確保されており、図８に示される態様と同様に係合片１１８ｃと上台１１９ｂとが干渉しないようにピン固定具１１８を湾曲弾性変形させて収容溝１１９ａに挿入する。ピン固定具１１８の係合片１１８ｃ、１１８ｃが下台１１９ｅの係合凹部１１９ｃ、１１９ｃと係合可能な所定位置まで挿入されると、ピン固定具１１８は元の形状に復帰変形して係合片１１８ｃ、１１８ｃが係合凹部１１９ｃ、１１９ｃに係合して収容される。その結果、ピン固定具１１８を係合片１１８ｃが上台１１９ｂに形成される係合凹部１１９ｃから抜き出るまで湾曲変形させない限り抜脱することはあり得ないため外れにくくなる。
【００７１】
そして、主制御基板２０３をケース体２０１の底面に載置して基板固定部材２０４、例えばネジなどにより固定し、カバー体２０２を上方からケース体２０１に係合装着する。その後図１２に示されるようにピン挿入台２１５に挿入ピン２１１を挿入し、頭部２１１ｅをドライバーなどの工具を用いて上方から叩き込むなどの押圧動作により、先端部２１１ａの係合溝２１１ｂにピン固定具１１８の係合孔１１８ａの内周縁に形成された係合片１１８ｂが抜脱不可能に嵌り込んで係合する。
【００７２】
この結果、カバー体２０２に設けられたピン挿入台２１５と、ケース体２０１に設けられた固定具収容台１１９の収容溝１１９ａに係合して収容固定されたピン固定具１１８とが、挿入ピン２１１によって連結されることで、ケース体２０１とカバー体２０２の係合は封止され、主制御基板２０３は基板収納ボックス内１１０に外部から接触不可能に収納される。
【００７３】
ピン固定具１１８は、固定具収容台１１９の収容溝１１９ａにスライドさせるように挿入収容され、係合片１１８ｃと係合凹部１１９ｃにより固定されるため、従来技術のようなネジ止めによる固定よりも組付けが容易で作業性の向上を図られること、ネジ隠し片およびネジが不要でケース体２０１およびカバー体２０２の形状を単純にできコスト削減が可能となり、固定にネジを用いないため巧妙にネジを外されて不正行為が行われることもない。
【００７４】
更に、ピン固定具１１８の挿入係合方向が、ケース体２０１とカバー体２０２との係合方向および挿入ピン２１１とピン固定具１１８との係合方向と異なり、かつ挿入ピン２１１が挿入される側全体が上台１１９ｂに覆われて収容溝１１９ａに収容されているため、ケース体２０１とカバー体２０２とを引き剥がす向きに力を加えられたとしても、上台１１９ｂまたはピン挿入台２１５、すなわち固定具収容台１１９そのものが完全に破壊されない限りピン固定具１１８をケース体２０１から取り外すことは不可能である。このような破壊は隠滅が困難な痕跡を残すことことになり、不正行為者による開封を抑制するとともに、収納されている制御基板への不正行為のために開封が行われた場合には早期に発見される。
【００７５】
また、第２の実施の形態においては、ピン挿入孔２１５ｂがケース体２０１の内部へ貫通する構造ではなく、ピアノ線などの細線状の部材を用いてもケース体２０１の内部に配設される主制御基板２０３に直接不正行為を施すことは極めて困難であるが、例えばピン固定具１１８に形成される未使用の係合片１１８ｂを、ピン挿入孔２１５ｂから先端工具、精密ヤスリ（針ヤスリ）や電動工具に装着された精密砥石などを挿入して削るなどし、外側から引き抜くことを可能とするなど、未使用のピン挿入台２１５のピン挿入孔２１５ｂの開口部より未使用のピン固定具１１８に不正な細工を施すことにより、あらかじめ挿入ピンが抜けやすくなるようにし、検査などの正規の開封が行われ、ピン挿入台２１５を替えた場合にピンを抜いて開封するといった不正行為が行われることを防止することができる。
【００７６】
また、従来例と異なり、実際に封止に使用されるピン挿入台２１５にのみ挿入ピン２１１を挿入する構成であるため、挿入ピン２１１に形成されるリング部２１１ｃとピン挿入孔２１５ｂとの係合が緩く、未使用の挿入ピン２１１が抜脱して紛失する事故や、誤って必要のない挿入ピン２１１を押圧してしまい、必要のないピン挿入台２１５まで封止するという事故が発生することがなくなる。また、挿入ピン２１１にはリング部２１１ｃが不要となるため、挿入ピン２１１の製造コストを低減することが可能となる。
【００７７】
以上本発明の各種実施の形態について説明したが、本発明はこれら前記各実施の形態に何ら限定されるものではなく、本発明の趣旨を逸脱しない範囲において、種々な態様で実施することが可能である。
【００７８】
例えば、ピン挿入台において挿入ピンの封止方向への移動を規制する構造として前記各実施の形態において説明したものでは、挿入ピンのフランジ状の頭部と、ピン挿入台の収容部によって挿入方向への移動を規制した構造を示したが、上記実施例のように限定されるものではなく、封止に用いられた挿入ピンによってカバー体の開封方向への移動が確実に規制される（つまり開封できない）構造のものであれば良い。
【００７９】
尚、上記実施例では、この遊技機の遊技内容を制御するメインの制御基板である主制御基板の基板収納ボックスに適用した例を示したが、遊技機に備えられるそれ以外の制御基板やその他の装置などを収納するボックスについても適用可能なのは言うまでもない。
【００８０】
【発明の効果】
請求項１に記載の発明によれば、前記ピン挿入台が切断可能な連結部を介して複数設けられていると共に、前記ピン固定具の前記挿入ピンの他端側との係合部も複数設けられている構成であるため、基板収納ボックスの開封・封止を複数回行うことができるようになり、制御基板の修理や公的機関によるＲＯＭ検査などの正当な理由によって開封した場合でも再度収納して封止することが可能になり、メンテナンス性も良くなる。また、正規の再封止操作において挿入ピンを挿入する以外に薄膜９６ｅを破壊する必要はあり得ないことから、不正行為があった場合には直ちに発見することができる。
【図面の簡単な説明】
【図１】  本発明の一実施形態に係るパチンコ遊技機の正面図である。
【図２】  図１に示されたパチンコ遊技機の裏面を示した図である。
【図３】  制御基板の接続を示したブロック図である。
【図４】  本発明の一実施形態に係る基板収納ボックスの外観斜視図を示した図である。
【図５】  図４の基板収納ボックスを外側から見た分解斜視図である。
【図６】  図４の基板収納ボックスを内側から見た分解斜視図である。
【図７】  封止部の縦断面を示した斜視図である。
【図８】  ケース体側の封止部の上面図を示した図である。
【図９】  基板収納ボックスの組み付け手順を示した縦断面図である。
【図１０】  基板収納ボックスの封止手順を示した縦断面図である。
【図１１】  この実施形態に用いられる不正防止部材の配置形態を示した断面図である。
【図１２】  他の実施形態に係る基板収納ボックスの分解斜視図を示した図である。
【図１３】  この実施形態の基板収納ボックスの封止部の横断面図を示した図である。
【図１４】従来一般に知られる基板収納ボックスの外観斜視図を示した図である。
【図１５】  図１４の基板収納ボックスの分解斜視図を示した図である。
【図１６】  図１４の基板収納ボックスの上面図を示した図である。
【図１７】  図１６におけるＡ−Ａ断面図である。
【図１８】  図１６におけるＢ−Ｂ断面図である。
【符号の説明】
１０  パチンコ遊技機
８２  制御基板
９０  基板収納ボックス
９１  ケース体
９２  カバー体
９３  ケース体側の封止部
９４  カバー体側の封止部
９５  挿入ピン
９６  ピン挿入台
９６ｅ  薄膜（不正防止部材）
９８  ピン固定具
９８ａ  係合片
９９  固定具収容台
９９ａ  収容溝
１１０  基板収納ボックス
１１３  封止部
１１８  ピン固定具
１１８ａ  係合孔
１１９  固定具収容台
２０１  ケース体
２０２  カバー体
２０３  主制御基板
２１１  挿入ピン
２１５  ピン挿入台
２１５ｂ  ピン挿入孔
２１８  連結部
３００  不正防止部材
【図１】
0003770548.tif 000002
【図２】
0003770548.tif 000003
【図３】
0003770548.tif 000004
【図４】
0003770548.tif 000005
【図５】
0003770548.tif 000006
【図６】
0003770548.tif 000007
【図７】
0003770548.tif 000008
【図８】
0003770548.tif 000009
【図９】
0003770548.tif 000010
【図１０】
0003770548.tif 000011
【図１１】
0003770548.tif 000012
【図１２】
0003770548.tif 000013
【図１３】
0003770548.tif 000014
【図１４】
0003770548.tif 000015
【図１５】
0003770548.tif 000016
【図１６】
0003770548.tif 000017
【図１７】
0003770548.tif 000018
【図１８】
0003770548.tif 000019